(57)【要約】      （修正有）【課題】イヤホン、電子デバイス及び無線式イヤホンを提供する。【解決手段】無線式イヤホンなどのアクセサリは、無線信号を送信及び受信するためのアンテナ４０を有し得る。イヤホンのための筐体は、本体部分、及び本体部分から突出する軸部を形成する延長部分を有し得る。イヤホンは、本体部分内にスピーカポートと整列されたスピーカ２０を有し得る。アンテナ４０は、細長い形状を有し得、軸部に沿って延在し得る。軸部は、プラスチック筐体壁部分を有し得る。アンテナ４０は、プリント回路基板の両面上の第１及び第２の金属トレースで形成され得る。第１の金属トレースは、アンテナ共振要素アームを形成し得、基板とプラスチック筐体壁部分との間に存在し得る。第２の金属トレースは、接地トレースであり得る。アンテナ４０のフィードは本体部分と軸部との間の連結部に配置され得る。【選択図】図１
0003209546.tif 000002
【実用新案登録請求の範囲】
【請求項１】
スピーカポートを有する本体部分を有し、かつ前記本体部分から延在する軸部を有する筐体と、
前記本体部分内に前記スピーカポートと整列して取り付けられたスピーカと、
前記軸部内のアンテナと、を備える、イヤホン。
【請求項２】
前記アンテナは細長い形状を有し、前記軸部に沿って延在する、請求項１に記載のイヤホン。
【請求項３】
前記アンテナは、逆Ｆアンテナを含む、請求項２に記載のイヤホン。
【請求項４】
前記軸部はプラスチック筐体壁部分を有し、前記イヤホンは、前記軸部内に導電性コンポーネントを更に備え、前記アンテナは、前記導電性コンポーネントと前記プラスチック筐体壁部分との間に挿入される、請求項３に記載のイヤホン。
【請求項５】
前記アンテナは、プリント回路基板と、前記プラスチック筐体壁部分に隣接する前記プリント回路基板上の第１の金属トレースと、前記導電性コンポーネントに隣接する前記プリント回路基板上の第２の金属トレースと、を有する、請求項４に記載のイヤホン。
【請求項６】
前記第１の金属トレースは共振要素アームを含み、前記第２の金属トレースはアンテナ接地を含む、請求項５に記載のイヤホン。
【請求項７】
前記アンテナは、前記共振要素アームと前記アンテナ接地との間を、前記プリント回路基板を貫通するリターンパスビアを更に含む、請求項６に記載のイヤホン。
【請求項８】
前記アンテナに結合する伝送線路を更に含み、前記アンテナは、前記伝送線路の正の信号線路から前記第１の金属トレースへと通る追加のビアを含む、請求項７に記載のイヤホン。
【請求項９】
ポートを有する本体部分を有し、前記本体部分から長手方向軸線に沿って延在する細長い突出部分を有する誘電体筐体と、
前記ポートと整列された電子コンポーネントと、
前記細長い突出部分内に前記長手方向軸線に沿って延在する、前記誘電体筐体内のアンテナと、を備える、電子デバイス。
【請求項１０】
前記細長い突出部分は、長さ、幅、及び、幅に対する長さの比率によって特徴付けられ、前記幅に対する長さの比率が少なくとも３である、請求項９に記載の電子デバイス。
【請求項１１】
前記電子コンポーネントがスピーカを含み、前記本体部分はユーザの耳の中に受容されるように構成されている、請求項１０に記載の電子デバイス。
【請求項１２】
前記アンテナは、前記細長い突出部分に沿って延在する共振要素アームを有する逆Ｆアンテナを含む、請求項１１に記載の電子デバイス。
【請求項１３】
細長い前記アンテナは、第１及び第２の対向する表面を有する基板と、前記第１の表面上の第１の金属トレースと、前記第２の表面上の第２の金属トレースと、を含む、請求項９に記載の電子デバイス。
【請求項１４】
前記第１の金属トレースから前記第２の金属トレースへと前記基板を貫通して延在するリターンパスビアを更に備える、請求項１３に記載の電子デバイス。
【請求項１５】
前記電子コンポーネントがスピーカを含み、前記本体部分はユーザの耳の中に受容されるように構成されている、請求項１４に記載の電子デバイス。
【請求項１６】
スピーカと、
逆Ｆアンテナと、
前記スピーカが取り付けられる本体部分を有し、前記本体部分から突出し、内部に前記逆Ｆアンテナが取り付けられる軸部を有する筐体と、を備える、無線式イヤホン。
【請求項１７】
前記逆Ｆアンテナは、第１及び第２の表面を有する誘電体基板と、前記第１の表面上の第１の金属トレースと、前記第２の表面上の第２の金属トレースと、を含む、請求項１６に記載の無線式イヤホン。
【請求項１８】
前記第１の金属トレースから前記第２の金属トレースへと前記誘電体基板を貫通するリターンパスビアを更に備える、請求項１７に記載の無線式イヤホン。
【請求項１９】
前記筐体内にバッテリを更に備え、前記軸部は前記第１の金属トレースに隣接して存在するプラスチック壁部を含む、請求項１８に記載の無線式イヤホン。
【請求項２０】
前記本体部分は、前記筐体の連結部で前記軸部に結合され、前記逆Ｆアンテナは前記連結部にフィードを有する、請求項１６に記載の無線式イヤホン。
【考案の詳細な説明】
【技術分野】
【０００１】
本出願は、２０１６年１月１２日に出願された特許出願第１４／９９３，５４８号に対する優先権を主張するものであり、これにおいて参照によりその全体が本明細書内に組み入れられる。
【背景技術】
【０００２】
本出願は、概して、電子デバイスに関し、より具体的には、無線回路機構を有する電子デバイスに関する。
【０００３】
セルラー電話機、コンピュータ、及び他の電子機器用の電子アクセサリなどの電子デバイスは、多くの場合無線回路機構を含む。例えば、セルラー電話機及び他の機器と無線通信するイヤホンが利用可能である。
【０００４】
イヤホンなどの小型デバイスに無線通信回路機構を実装する場合、困難が生じ得る。注意を払わないと、アンテナが効率的に機能しないことになる。このことにより、所望のレベルの無線通信性能を達成することが困難又は不可能になり得る。
【０００５】
それゆえ、改善された無線回路機構を有するイヤホンなどのデバイスを提供できることが望ましい。
【考案の概要】
【０００６】
無線式イヤホンなどのアクセサリは無線信号を送信及び受信するためのアンテナを有し得る。このアクセサリは、本体部分、及び本体部分から外側に突出する延長部分を有する筐体を有し得る。本体部分は、スピーカポートを有し得る。イヤホンのスピーカは、本体部分内にスピーカポートと整列して取り付けられ得る。延長部分は、本体部分から突出し、イヤホンをユーザの耳に挿入するとき、及びユーザの耳から取り外すとき、ユーザによって把持され得る軸部を形成し得る。
【０００７】
イヤホンのアンテナは、細長い形状を有し得、軸部に沿って延在し得る。軸部は、アンテナを取り囲むプラスチック筐体壁を有し得る。
【０００８】
アンテナは、プリント回路基板の両面上の第１及び第２の金属トレースで形成され得る。第１の金属トレースは、アンテナ共振要素アームを形成し得、基板と、軸部のプラスチック筐体壁との間に存在し得る。第２の金属トレースは、接地トレースであり得る。
【０００９】
アンテナは、逆Ｆアンテナであり得る。リターンパスビアが、第１の金属トレースから第２の金属トレースへとアンテナのプリント回路基板を貫通し得る。アンテナは、伝送線路に結合されたフィードを有し得る。フィードは本体部分と軸部との間の連結部に配置され得る。
【００１０】
更なる特徴が、添付図面及び以下の発明を実施するための形態から、より明らかとなるであろう。
【図面の簡単な説明】
【００１１】
【図１】一実施形態に係る、無線通信回路機構を有する例示的な電子デバイスの模式図である。
【図２】一実施形態に係る、電子デバイスにおいて用いられ得る種類の例示的なアンテナの図である。
【図３】一実施形態に係る、例示的なイヤホンの正面斜視図である。
【図４】一実施形態に係る、イヤホン内でアンテナが配置され得る場所を示す、図３の例示的なイヤホンの背面斜視図である。
【図５】一実施形態に係る、アンテナを形成するトレースを有する例示的なプリント回路の上面図である。
【図６】一実施形態に係る、図５の例示的なアンテナの側面図である。
【考案を実施するための形態】
【００１２】
無線回路機構を備え得る種類の電子デバイスが、図１に示される。図１のデバイス１０は、無線式イヤホン、又はセルラー電話機、ポータブルコンピュータ、時計、メディアプレーヤ、若しくは他のホスト機器などの別の電子デバイスと併せて使用される種類の他の小さなポータブルアクセサリなどの、無線アクセサリであり得る。望むならば、デバイス１０は異なる種類の電子機器であってもよい。デバイス１０が無線アクセサリである構成は、本明細書で例として記載されることがあり得る。
【００１３】
デバイス１０などのデバイスは、外部の電子機器と無線通信リンクを介して無線通信し得る。無線通信リンクは、セルラー電話リンク（例えば、周波数７００ＭＨｚ〜２７００ＭＨｚ又は他の適したセルラー電話周波数での無線リンク）であり得、２．４ＧＨｚ、５ＧＨｚ、又は他の適した無線ローカルエリアネット周波数で動作する無線ローカルエリアネットワークリンクであり得、２．４ＧＨｚで動作するＢｌｕｅｔｏｏｔｈ（登録商標）リンクであり得、ミリ波通信を含み得、近距離無線通信を含み得、他の通信帯域での無線通信を含み得る。デバイス１０が２．４ＧＨｚで動作してＢｌｕｅｔｏｏｔｈ（登録商標）通信などの近距離通信をサポートする構成は、本明細書で例として記載されることがあり得る。
【００１４】
図１に示すように、デバイス１０（例えば、イヤホン又は他のアクセサリ）は、記憶及び処理回路機構１６などの制御回路機構を含み得る。記憶及び処理回路機構１６は、不揮発性メモリ（例えば、フラッシュメモリ、又はソリッドステートドライブを形成するように構成された他の電気的にプログラムできる読み出し専用メモリ）、揮発性メモリ（例えば、静的又は動的ランダムアクセスメモリ）などの記憶装置を含む場合がある。記憶及び処理回路機構１６内の処理回路機構は、デバイス１０の動作を制御する目的で使用される場合がある。この処理回路機構は、１つ以上のマイクロプロセッサ、マイクロコントローラ、デジタル信号プロセッサ、ベースバンドプロセッサ集積回路、特定用途向け集積回路などに基づいてもよい。
【００１５】
記憶及び処理回路機構１６は、デバイス１０上でソフトウェアを実行するために使用され得る。ソフトウェアは、通信をハンドリングしてもよく、センサ信号を処理し、処理されたセンサ信号に基づいて適切なアクションを行ってもよく（例えば、デバイス１０で機能をオンにする又はオフにする、オーディオ再生を開始する又は停止する、など）、他のデバイス動作をハンドリングしてもよい。外部機器との相互作用をサポートするために、記憶及び処理回路機構１６を通信プロトコルの実施に使用し得る。記憶及び処理回路機構１６を使用して実施され得る通信プロトコルとしては、無線ローカルエリアネットワークプロトコル（例えば、ＷｉＦｉ（登録商標）と呼ばれることもあるＩＥＥＥ８０２．１１プロトコル及びＷｉＧｉｇ（登録商標））、Ｂｌｕｅｔｏｏｔｈ（登録商標）プロトコルなどのその他の近距離無線通信リンク用のプロトコル、セルラー電話プロトコルなどを挙げることができる。
【００１６】
デバイス１０は、マイクロフォン、スピーカ、トーン生成器、及び、他のオーディオコンポーネントを含み得る（例えば、スピーカ２０を参照）。マイクロフォンは、ノイズキャンセル機能のために周囲ノイズ信号を収集し得る。スピーカは、ユーザのために音を再生し得る。トーン生成器及び他の音出力デバイスは、他の可聴出力を生成し得る。デバイス１０のセンサ及び他のコンポーネント２２としては、近接センサ（例えば、容量式近接センサ、光学式近接センサなど）、力センサ、ボタン、磁気センサ、デバイスの向き及び／又は動きを測定するための加速度計及び他のコンポーネント、歪みゲージ式センサ、バイブレータなどが挙げられ得る。制御回路機構１６は、スピーカ２０、並びに／又は、ユーザ及び／若しくはデバイス１０を取り巻く環境から入力を集めるためのセンサ及び他のコンポーネント２２などの入出力回路機構を使用することができる。応答して、制御回路機構１６は、機器を取り外すための無線信号を送信し得、ユーザに可聴、可視、及び触知可能出力を提供し得る。
【００１７】
デバイス１０は、デバイス１０の回路機構に電力を供給するためのバッテリ２６を含み得る。バッテリ２６は、例えば、充電式バッテリであり得る。バッテリ２６は、無線で再充電されてもよく（例えば、デバイス１０に無線電力を供給することによって）、又は、外部機器とデバイス１０との間の有線接続を介して再充電されてもよい。バッテリ２６が再充電可能ではない（例えば、バッテリ２６が再充電できない交換式バッテリである）構成も、使用され得る。
【００１８】
電子デバイス１０は、外部機器との無線通信をサポートするための無線回路機構を含み得る。無線回路機構は、高周波送受信機２４及び、アンテナ４０などの１つ以上のアンテナを含み得る。アンテナ４０は、正のアンテナフィード端子９８及び接地アンテナフィード端子１００を含むフィードを有し得る。伝送線路９２が、高周波送受信機回路機構２４をアンテナ４０に結合するために使用され得る。伝送線路９２は、線路９４などの正の信号経路と、線路９６などの接地信号経路とを有し得る。伝送線路９２などの回路機構１０内の伝送線路としては、同軸ケーブル経路、マイクロストリップ伝送線路、ストリップライン伝送線路、エッジ結合マイクロストリップ伝送線路、エッジ結合ストリップライン伝送線路、これらの種類の伝送線路の組み合わせから形成される伝送線路などが挙げられる。所望であれば、フィルタ回路機構、スイッチング回路機構、インピーダンス整合回路機構、及び他の回路機構が伝送線路内に挿入されてもよい。
【００１９】
任意の好適な種類のアンテナを使用してアンテナ４０を形成することができる。例えば、アンテナ４０は、ループアンテナ構造、パッチアンテナ構造、逆Ｆアンテナ構造、スロットアンテナ構造、平板逆Ｆアンテナ構造、ヘリカルアンテナ構造、モノポール、ダイポール、これらの設計のハイブリッドなどで形成された共振要素を有するアンテナであり得る。所望であれば、アンテナ４０は、同調可能回路機構を含み得、制御回路機構１６を用いて、アンテナ４０を同調させるべく、同調可能回路機構の最適な設定を選択することができる。所望の周波数レンジで機能させるために、又はさもなければアンテナ性能を最適化するために、アンテナ４０を同調させるべくアンテナ調整が行われてもよい。アンテナ４０を調整するのに使用されるセンサデータをリアルタイムで収集するために、センサがアンテナ４０内に、又はデバイス１０内の他の場所に組み込まれてもよい。アンテナ４０はまた、固定（同調可能でない）構成を使用して実装されてもよい。
【００２０】
アンテナ４０の例示的な構成が図２に示される。図２の例では、アンテナ４０は逆Ｆアンテナであり、逆Ｆ共振要素１００及びアンテナ接地１０２を有する。アンテナ４０は、伝送線路９２（図１）をアンテナフィード１０８に結合することによって、フィードされ得る。アンテナフィード１０８は、アンテナ共振要素１００の共振要素アーム１０４に結合された正のアンテナフィード端子９８を有し、接地１０２に結合された接地アンテナフィード１００を有する。リターンパス１０６（例えば、短絡パス）は、アンテナフィード１０８と並列に、アンテナ共振要素アーム１０４と接地１０２との間に結合され得る。
【００２１】
アンテナ接地１０２は、プリント回路若しくは他の基板内の接地トレース、バッテリの金属部分、金属筐体構造体、内部のデバイスコンポーネントの金属部分、又は、デバイス１０内の導電性接地構造体から形成され得る。アンテナ共振要素１００は、プリント回路の金属トレース、及び／又はデバイス１０内の他の導電性構造体（例えば、金属箔、金属筐体構造体、内部のデバイスコンポーネントの部分など）から形成され得る。
【００２２】
デバイス１０が無線式イヤホンである例示的な構成のデバイス１０の斜視図が図３に示されている。図３に示されるように、イヤホン１０は、前面１０Ｆと背面１０Ｒとを有し得る。筐体１２はスピーカポート１２２が形成される本体部分１２Ｂなどの主体部分を有し得る。スピーカポート１２２は、イヤホン１０の前面に向いてよい（例えば、ポート１２２は、イヤホン１０の前面１０Ｆの筐体１２の表面内に形成され得る）。筐体の軸部分１２Ｔなどの細長い突出部分が、筐体本体部分１２Ｂから外側に延びてよい。
【００２３】
本体部分１２Ｂは、ユーザの耳の中に嵌る形状を有し得る。スピーカ２０は本体部分１２Ｂ内に取り付けられ得、スピーカポート１２２と整列され得る。スピーカ２０は、ユーザの耳に音を提供するのに用いられ得る。スピーカポート１２２は筐体１２内の１つ以上の開口部で形成され得る。１つ以上のプラスチック又は金属のメッシュ層が、スピーカ２０と筐体１２の開口部との間に挿入され得る（例えば、スピーカ２０内へのホコリ及び他の汚染物質の侵入防止に役立つように）。
【００２４】
筐体１２は、金属、プラスチック、炭素繊維複合材料若しくはその他の繊維複合物、ガラス、セラミック、その他の材料、又はこれらの材料の組み合わせから形成されてよい。軸部１２Ｔは、長さＬ及び直径Ｄ（又は、長さＬに垂直な幅などの他の横方向寸法）によって特徴付けられ得る。軸部１２Ｔのアスペクト比（Ｌ／Ｄ）は、大きい（例えば、少なくとも３、少なくとも４、少なくとも５、少なくとの１０、少なくとも２０、など）。軸部１２Ｔの細長い形状は、耳からイヤホン１０を取り外すとき、又は、耳にイヤホン１０を入れるときに、ユーザがイヤホン１０を把持することを可能にするのに役立ち得る。軸部１２Ｔは、筐体１２の背面１０Ｒで本体部分１２Ｂから延在し得、軸部の長手方向軸線１２０に沿って延在し得る。所望ならば、軸部１２Ｔは湾曲形状を有してもよい。図３の例示的な直線形状は、単なる例示にすぎない。
【００２５】
図３のイヤホン１０の背面斜視図を、図４に示す。図４に示すように、アンテナ４０は軸部１２Ｔの長さと平行な軸線１２０に沿って走る細長い形状を有し得る。アンテナ４０は、フィード１０８から軸部１２Ｔの先端１２Ｔ’に向かって、軸部１２Ｔに沿って延在し得る。
【００２６】
アンテナ４０は、所望ならば、筐体１２の内部領域１２４内に配置されるバッテリ２６及び他の導電性コンポーネントなどの構造体と重なってもよい。これらの構造体は、アンテナ４０をシールドする傾向がある導電性材料を含み得る。アンテナ４０が満足のいく状態で動作することを確実にするため、アンテナ４０は筐体１２内のプラスチックの軸部壁又は他の誘電体壁の下（すなわち、軸部１２Ｔ内の筐体１２の表面の直下）に延び得る。したがって、アンテナ４０のアンテナ共振要素アーム１０４は、領域１２４内のバッテリ及び他の導電性構造体と、誘電体筐体壁との間に挿入される。領域１２４内のバッテリ及び他の導電性構造体は、アンテナ接地１０２の一部を形成し得る。
【００２７】
アンテナフィード１０８は、本体部分１２Ｂ内の領域１２４と重なる場所よりむしろ、本体部分１２Ｂと軸部１２Ｔとの間の筐体１２の連結部１２Ｊに配置され得る。場所１０８’などの他の場所ではなく、図４の場所１０８である連結部１２Ｊにアンテナフィードを配置することは、アンテナ効率を低下させ得るバッテリ２６内の電流及び他の接地プレーン電流を最小化するのに役立ち得る。
【００２８】
アンテナ４０はプリント回路上にパターンニングされた金属トレースで形成され得る。プリント回路はリジッドプリント回路基板（例えば、ガラス繊維充填エポキシなどのリジッドプリント回路板基板材料で形成されたプリント回路）であってもよく、又は、フレキシブルプリント回路（例えば、ポリイミドのフレシキブル層若しくは他のポリマ基板材料のシートで形成されたプリント回路）であってもよい。
【００２９】
図５は、アンテナ４０がプリント回路基板で形成されるアンテナ４０の例示的構成の平面図である。図５に示すように、アンテナ４０は、アンテナ共振要素アーム１０４を形成する金属トレースなどのプリント回路基板１３０上の金属アンテナトレースで形成され得る。アンテナ４０は伝送線路９２を用いてフィードされ得る。伝送線路９２は、フィード１０８の正のフィード端子９８に結合される導電性線路９４などの正の信号線路構造体と、フィード１０８の接地フィード端子１００に結合される導電体１０６などの接地信号導電体（例えば、図５の端子１００Ａ及び１００Ｂを参照、又は他の好適な接地フィード構造体）とを含み得る。
【００３０】
端子９８及び１００は、アンテナ共振要素アーム１０４及び接地１０２（例えば、図２参照）に、アンテナ４０が形成されるプリント回路内の金属トレース（例えば、ビア１３２などの基板１３０内のビア、プリント回路基板１３０の１つ以上の誘電体層上の金属トレースなど）を用いて、それぞれ結合され得る。図２のリターンパス１０６などのリターンパスが、図５の例示的なリターンパスビア１０６Ａ及び１０６Ｂなどのプリント回路基板１３０内の１つ以上のビアを用いて形成され得る。
【００３１】
ライン１３４に沿って取られ、方向１３６で見た、図５のアンテナ４０の側面断面図が、図６に示されている。図６に示すように、アンテナ４０は、アンテナ４０のアンテナ接地として機能する下方金属層１０２などの下方金属トレース層を有し得る。アンテナ４０はまた、プリント回路基板１３０の反対側の表面上（すなわち、プリント回路基板１３０の上側表面上）の上方金属トレース１０４などの金属トレースを有し得る。金属トレース１０４は、図２のアンテナ共振要素１００のアンテナ共振要素アーム１０４として機能し得る。所望ならば、アーム１０４は、複数の分岐を有してもよく、屈曲部分を有してもよく、内蔵のキャパシタ、インダクタ、スイッチ、若しくは他のコンポーネントを含んでもよく、プリント回路１３０の１つ以上の層内に形成されてもよく、又は、他の構成を有してもよい。アーム１０４が基板１３０の一方の表面上の金属ストリップで形成され、基板１３０の反対側の表面上の接地１０２を形成する金属ストリップと平行に延びる図６の例示的構成は、単なる例示である。
【００３２】
図６に示すように、アンテナフィード端子９８は、ビア１３２などのビアによってアーム１０４に結合され得る。ビアはまた、図６のリターンパスビア１０６Ａによって示されるように、リターンパス１０６（図２）を形成するのに用いられ得る。図６の例示的なリターンパスビア１０６Ａなどのビアは、共振要素アーム１０４を形成する金属トレースとアンテナ接地１０２を形成するトレースとの間を短絡し得る。プリント回路基板１３０の下側表面上のトレースは、領域１２４内の導電性構造体（例えば、バッテリ２６など）に隣接し得る。プリント回路基板１３０の上側表面上のトレースは、筐体１２の内部表面１４０に隣接し得、したがって、筐体軸部分１２Ｔの壁部と基板１３０との間に挟まれ得る。この構成では、筐体１２はプラスチックなどの誘電体材料で形成された壁部を有し得る。アンテナ４０の動作中、アンテナ信号は、筐体１２のプラスチック壁を通して送信され得、プラスチック筐体壁を通して受信され得る。
【００３３】
一実施形態によると、スピーカポートを有する本体部分を有し、本体部分から延在する軸部を有する筐体と、スピーカポートと整列して本体部分に取り付けられたスピーカと、軸部内のアンテナと、を含む、イヤホンが提供される。
【００３４】
別の実施形態によると、アンテナは細長い形状を有し、軸部に沿って延在する。
【００３５】
別の実施形態によると、アンテナは、逆Ｆアンテナを含む。
【００３６】
別の実施形態によると、軸部はプラスチック筐体壁部分を有し、イヤホンは、軸部内に導電性コンポーネントを更に含み、アンテナは導電性コンポーネントとプラスチック筐体壁部分との間に挿入される。
【００３７】
別の実施形態によると、アンテナは、プリント回路基板と、プラスチック筐体壁部分に隣接するプリント回路基板上の第１の金属トレースと、導電性コンポーネントに隣接するプリント回路基板上の第２の金属トレースと、を有する。
【００３８】
別の実施形態によると、第１の金属トレースは共振要素アームを含み、第２の金属トレースはアンテナ接地を含む。
【００３９】
別の実施形態によると、アンテナは、共振要素アームとアンテナ接地との間を、プリント回路基板を貫通するリターンパスビアを更に含む。
【００４０】
別の実施形態によると、イヤホンは、アンテナに結合する伝送線路を含み、アンテナは、伝送線路の正の信号線路から第１の金属トレースへと通る追加のビアを含む。
【００４１】
実施形態によると、ポートを有する本体部分を有し、本体部分から長手方向軸線に沿って延在する細長い突出部分を有する誘電体筐体と、ポートと整列された電子コンポーネントと、細長い突出部分内に長手方向軸線に沿って延在する、誘電体筐体内のアンテナと、を備える、電子デバイスが提供される。
【００４２】
別の実施形態によると、細長い突出部分は、長さ、幅、及び、幅に対する長さの比率によって特徴付けられ、幅に対する長さの比率が少なくとも３である。
【００４３】
別の実施形態によると、電子コンポーネントがスピーカを含み、本体部分はユーザの耳の中に受容されるように構成されている。
【００４４】
別の実施形態によると、アンテナは、細長い突出部分に沿って延在する共振要素アームを有する逆Ｆアンテナを含む。
【００４５】
別の実施形態によると、細長いアンテナは、第１及び第２の対向する表面を有する基板と、第１の表面上の第１の金属トレースと、第２の表面上の第２の金属トレースと、を含む。
【００４６】
別の実施形態によると、電子デバイスは、第１の金属トレースから第２の金属トレースへと基板を貫通して延在するリターンパスビアを含む。
【００４７】
別の実施形態によると、電子コンポーネントがスピーカを含み、本体部分はユーザの耳の中に受容されるように構成されている。
【００４８】
実施形態によると、スピーカと、逆Ｆアンテナと、スピーカが取り付けられる本体部分を有し、本体部分から突出し、内部に逆Ｆアンテナを取り付けられる軸部を有する筐体と、を含む、無線式イヤホンが提供される。
【００４９】
別の実施形態によると、逆Ｆアンテナは、第１及び第２の表面を有する誘電体基板と、第１の表面上の第１の金属トレースと、第２の表面上の第２の金属トレースと、を含む。
【００５０】
別の実施形態によると、無線式イヤホンは、第１の金属トレースから第２の金属トレースへと誘電体基板を貫通するリターンパスビアを含む。
【００５１】
別の実施形態によると、無線式イヤホンは、筐体内にバッテリを含み、軸部は第１の金属トレースに隣接して存在するプラスチック壁部を含む。
【００５２】
別の実施形態によると、本体部分は、筐体の連結部で軸部に結合され、逆Ｆアンテナは連結部にフィードを有する。
【００５３】
上述の内容は単なる例示にすぎず、説明された実施形態の範囲及び趣旨から逸脱することなく、当業者によって様々な修正を行うことができる。前述の実施形態は、個々に又は任意の組み合わせで実行することができる。
【図１】
0003209546.tif 000003
【図２】
0003209546.tif 000004
【図３】
0003209546.tif 000005
【図４】
0003209546.tif 000006
【図５】
0003209546.tif 000007
【図６】
0003209546.tif 000008